(57)【要約】【課題】フラットコネクタからコネクタピンを破損させることなく、容易に抜き取ること。【解決手段】フラットコネクタ（２０）の挿入口（２２）から挿入されたコネクタピン（３０）をフラットコネクタから抜き取るピン抜き治具（５０）が、フラットコネクタに載置される板部（５１）と、板部の下面から突出した押下げ部（５２）とを有し、フラットコネクタの開口（２４）を通じて外部に露出したコネクタピンの爪部（３６）を押下げ部で押下げることで、爪部と開口との引っ掛りを解除する構成にした。【選択図】図６
2018006198.tif 000002
【特許請求の範囲】
【請求項１】
フラットコネクタからコネクタピンを抜き取るピン抜き治具であって、
該コネクタピンは、該フラットコネクタに収容されたときに引っかかり固定する爪部を備え、
該フラットコネクタは、該コネクタピンを挿入する挿入口と、該挿入口から挿入された該コネクタピンを収容する収容部と、該収容部に収容された該コネクタピンの該爪部が引っ掛かり該コネクタピンを固定させると共に該収容部と連通し該爪部を露出させる開口と、を備え、
該開口から進入し該爪部を押し下げる押下げ部と、該押下げ部を下面に備える板部とを備えるピン抜き治具。
【請求項２】
該フラットコネクタは、該コネクタピンを並列に複数収容可能で、該板部の下面に該押下げ部を複数配設させた請求項１記載のピン抜き治具。
【発明の詳細な説明】
【技術分野】
【０００１】
本発明は、フラットコネクタからコネクタピンを抜き取る際に使用するピン抜き治具に関する。
【背景技術】
【０００２】
雌型のフラットコネクタに雄型のフラットコネクタを接続することで電子機器同士が接続される。雌型のフラットコネクタとして、配線を圧着した複数のコネクタピン（ソケットコンタクト）を挿入口から挿入してコネクタ内でコネクタピンを固定するものが知られている（例えば、特許文献１参照）。コネクタピンには抜け止め用の爪部が外方に切り起こされ、フラットコネクタにはコネクタピンの収容部を外部に連ねる開口が形成されている。爪部を倒したままコネクタピンがフラットコネクタ内の収容部まで挿入され、爪部がフラットコネクタの開口内に入り込むことでコネクタピンが固定される。
【先行技術文献】
【特許文献】
【０００３】
【特許文献１】特開２０００−０２１５０１号公報
【発明の概要】
【発明が解決しようとする課題】
【０００４】
この種のフラットコネクタでは、開口内の爪部を外部から押し込んでフラットコネクタとコネクタピンの引っ掛りを無くすことで、フラットコネクタからコネクタピンを取り外すことができる。フラットコネクタからコネクタピンを取り外す専用治具が存在するが、取扱いが難しく操作によっては爪部を破損させたり、爪部をコネクタピン内に陥没させたり、爪部を変形させたりしてしまう場合がある。このため、フラットコネクタからコネクタピンを取り出すことができても、フラットコネクタにコネクタピンを再装着することができなくなるという問題があった。
【０００５】
本発明はかかる点に鑑みてなされたものであり、フラットコネクタからコネクタピンを破損させることなく、容易に抜き取ることができるピン抜き治具を提供することを目的の１つとする。
【課題を解決するための手段】
【０００６】
本発明の一態様のピン抜き治具は、フラットコネクタからコネクタピンを抜き取るピン抜き治具であって、該コネクタピンは、該フラットコネクタに収容されたときに引っかかり固定する爪部を備え、該フラットコネクタは、該コネクタピンを挿入する挿入口と、該挿入口から挿入された該コネクタピンを収容する収容部と、該収容部に収容された該コネクタピンの該爪部が引っ掛かり該コネクタピンを固定させると共に該収容部と連通し該爪部を露出させる開口と、を備え、該開口から進入し該爪部を押し下げる押下げ部と、該押下げ部を下面に備える板部とを備える。
【０００７】
この構成によれば、フラットコネクタの収容部にコネクタピンが収容されると、コネクタピンの爪部が開口に引っ掛ってコネクタピンがフラットコネクタに固定される。一方で、ピン抜き治具の押下げ部で開口を通じて爪部を押し下げることで、爪部と開口の引っ掛りを無くしてフラットコネクタからコネクタピンを取り外すことができる。このとき、ピン抜き治具の板部の下面がフラットコネクタの外面に当たるため、押下げ部による爪部の押下げ量が規制されて爪部が過剰に押下げられることがない。よって、爪部を破損させることなく、フラットコネクタからコネクタピンを簡単な操作で抜き取ることができる。
【０００８】
本発明の一態様のピン抜き治具において、該フラットコネクタは、該コネクタピンを並列に複数収容可能で、該板部の下面に該押下げ部を複数配設させている。
【発明の効果】
【０００９】
本発明によれば、コネクタピンの爪部の押下げ量をピン抜き治具の板部の下面で規制することで、爪部を破損させることなく、フラットコネクタからコネクタピンを容易に抜き取ることができる。
【図面の簡単な説明】
【００１０】
【図１】本実施の形態のフラットコネクタの斜視図である。
【図２】本実施の形態のコネクタピンの斜視図である。
【図３】比較例のピン抜き治具を用いたピン抜き動作の説明図である。
【図４】第１の実施の形態のピン抜き治具の斜視図である。
【図５】第１の実施の形態のピン抜き治具及び雌型コネクタの模式図である。
【図６】第１の実施の形態のピン抜き治具を用いたピン抜き動作の説明図である。
【図７】第１の実施の形態の外付け治具の模式図である。
【図８】第２の実施の形態のピン抜き治具の斜視図である。
【発明を実施するための形態】
【００１１】
以下、添付図面を参照して、本実施の形態のフラットコネクタ及びピン抜き治具について説明する。図１は、本実施の形態のフラットコネクタの斜視図である。図２は、本実施の形態のコネクタピンの斜視図である。図３は、比較例のピン抜き治具を用いたピン抜き動作の説明図である。なお、本実施の形態のフラットコネクタは、図１に示す構成に限定されず、フラットコネクタの開口にコネクタピンの爪部を引っ掛けて固定する構成であればよい。また、図２Ａはコネクタピンに対するケーブルの圧着前の状態、図２Ｂはコネクタピンに対するケーブルの圧着後の状態をそれぞれ示している。
【００１２】
図１に示すように、雌型端子形状のフラットコネクタ２０（以下、雄型コネクタと称する）に対して雄型端子形状のフラットコネクタ１０（以下、雌型コネクタと称する）が着脱可能に構成されている。雄型コネクタ１０の平型のハウジング１１には、装着口１２内に上下２列のピン１３（ピンコンタクト）が設けられており、装着口１２を挟んだハウジング１１の左右両側には一対のフック１４が設けられている。ハウジング１１の上壁には、装着口１２に対する雌型コネクタ２０の装着をガイドする切欠き１５が形成されている。また、ハウジング１１の装着口１２と逆側の後面からは各ピン１３に連なる複数のケーブル１９が延出している。
【００１３】
雌型コネクタ２０の平型のハウジング２１には雄型コネクタ１０の装着口１２に装着される前面に上下２列のピン孔（不図示）が形成され、ハウジング２１の後面にはピン孔に連なる上下２列の挿入口２２が形成されている。ハウジング２１の挿入口２２には、ケーブル３９を圧着したコネクタピン３０（ソケットコンタクト、図２参照）が挿入されている。雌型コネクタ２０のハウジング２１内には各挿入口２２から挿入されたコネクタピン３０を収容する収容部２３（図５参照）が形成され、ハウジング２１の上下両面には複数の収容部２３に連通する複数の開口２４が横一列に並んで形成されている。
【００１４】
雌型コネクタ２０のハウジング２１の上面には凸部２５が形成されており、ハウジング２１の左右両側面には側壁を部分的に切り欠いて一対の凹部２６が形成されている。雌型コネクタ２０の凸部２５と雄型コネクタ１０の切欠き１５によって雌型コネクタ２０に対する雄型コネクタ１０の装着がガイドされ、雌型コネクタ２０の一対の凹部２６に雄型コネクタ１０の一対のフック１４が入り込むことで雌型コネクタ２０と雄型コネクタ１０が固定される。このとき、雄型コネクタ１０のピン１３が雌型コネクタ２０のピン孔に入り込んでコネクタピン３０（図２参照）に接触することで、コネクタ１０、２０同士のケーブル１９、３９が電気的に接続される。
【００１５】
図２Ａ及び図２Ｂに示すように、コネクタピン３０は、導電性の金属片に曲げ加工を施すことによって、一端側に雄型コネクタ１０（図１参照）のピン１３を受け入れるソケット部３１が形成され、他端側にケーブル３９が圧着されるケーブル圧着部３２が形成されている。ソケット部３１は上壁３３、底壁３４、側壁３５からなる角筒形状であり、上壁３３の一部をソケット部３１外に切り起こして抜け止め用の爪部３６が形成されている。また、ソケット部３１内には、上壁３３及び底壁３４の一部をソケット部３１内に折り返して雄型コネクタ１０のピン１３（図１参照）に接触する接触バネ（不図示）が形成されている。
【００１６】
ケーブル圧着部３２は、ケーブル３９の外皮４１を抱え込む断面視Ｕ字形状の外皮圧着部３７と、ケーブル３９の外皮４１から露出した芯線４２の束を抱え込む断面視Ｕ字形状の芯線圧着部３８とを有している。外皮圧着部３７を内向きに折り曲げて外皮４１に圧着させると共に芯線圧着部３８を内向きに折り曲げて芯線４２の束に圧着させることで、ケーブル圧着部３２を介してケーブル３９とコネクタピン３０が電気的に接続される。このように構成されたコネクタピン３０は雌型コネクタ２０（図１参照）の挿入口２２から挿入され、コネクタピン３０の爪部３６がハウジング２１の開口２４に引っ掛ることで固定される。
【００１７】
ところで、雌型コネクタ２０に対するケーブル３９の差し間違いや、接続不良が発生した場合には、雌型コネクタ２０からケーブル３９と共にコネクタピン３０を引き抜く必要がある。コネクタピン３０の爪部３６は雌型コネクタ２０の開口２４から外部に露出しているため、雌型コネクタ２０の開口２４を通じてコネクタピン３０の爪部３６を押し下げることで、爪部３６と開口２４の引っ掛りを無くしてコネクタピン３０を引き抜くことができる。一般にピンセットやドライバー等を開口２４に差し込んで爪部３６を押し下げてコネクタピン３０を引き抜くが、作業性が悪く作業者の技量によっては爪部３６を破損させてしまう恐れがある。
【００１８】
この場合、図３の比較例に示すように、雌型コネクタ２０専用のピン抜き治具７０が存在するが、ピン抜き治具７０の先端７１を雌型コネクタ２０の開口２４に単純に差し込んでも、コネクタピン３０の爪部３６を適切に押下げることができない。例えば、ピン抜き治具７０の先端７１がコネクタピン３０の爪部３６の基端側に強い力で接触すると、爪部３６が破損してコネクタピン３０を雌型コネクタ２０に再装着することができない。ピン抜き治具７０の先端７１を爪部３６の先端側に接触させることで、爪部３６を適切に押下げることが可能であるが、ピン抜き治具７０を使用する作業者に高度なテクニックが必要とされていた。
【００１９】
そこで、本実施の形態のピン抜き治具５０（図４参照）は、板部５１の下面から押下げ部５２を突出させるようにしている。これにより、ピン抜き治具５０の押下げ部５２がコネクタピン３０の爪部３６に接触しても、板部５１の下面で爪部３６の押下げ量が規制されるため、コネクタピン３０の爪部３６を破損させることなく、フラットコネクタ２０の収容部２３からコネクタピン３０を容易に抜き取ることが可能になっている。
【００２０】
以下、図４及び図５を参照して、第１の実施の形態のピン抜き治具について詳細に説明する。第１の実施の形態のピン抜き治具は、雌型コネクタから１つずつコネクタピンを取り外すピン抜き治具である。図４は、第１の実施の形態のピン抜き治具の斜視図である。図５は、第１の実施の形態のピン抜き治具及び雌型コネクタの模式図である。なお、図５Ａはピン抜き治具及び雌型コネクタの正面模式図であり、図５Ｂはピン抜き治具及び雌型コネクタの側面模式図である。
【００２１】
図４及び図５Ａに示すように、ピン抜き治具５０は、透明材料によって板部５１の下面略中央から押下げ部５２を突出させて形成されている。板部５１は上面視長方形状に形成されており、押下げ方向とは逆方向の凸状に湾曲している。板部５１の湾曲形状によって長手方向の両端部分だけで雌型コネクタ２０に接触するため、板部５１の中央部分が雌型コネクタ２０から離間される。このため、押下げ部５２の押下げ時にクリック間が生起されると共に、板部５１が両持ち支持されているため、板部５１の中央に位置する押下げ部５２を真っ直ぐに押下げることが可能になっている。
【００２２】
図５Ｂに示すように、押下げ部５２の先端側は、雌型コネクタ２０の開口２４に位置付けられた状態で、コネクタピン３０の爪部３６の基端に対応する箇所が切り欠かれている。このため、押下げ部５２が押し下げられると、押下げ部５２がコネクタピン３０の爪部３６の基端側に接触せずに、爪部３６の先端側のみに接触する。また、押下げ部５２の押下げ量が板部５１の下面によって規制されるため、爪部３６が過剰に押し込まれることがない。ピン抜き治具５０によってコネクタピン３０の爪部３６の適切な箇所を適切な力で押し込むことができるため、爪部３６を破損させることなく雌型コネクタ２０の収容部２３からコネクタピン３０を抜き取ることができる。
【００２３】
図６を参照して、第１の実施の形態のピン抜き動作について説明する。図６は、第１の実施の形態のピン抜き治具を用いたピン抜き動作の説明図である。なお、図６Ａはピン抜き治具の位置合わせ動作、図６Ｂはピン抜き治具の押下げ動作、図６Ｃはコネクタピンの引き抜き動作のそれぞれ一例を示している。
【００２４】
図６Ａに示すように、ピン抜き治具５０を使用する際には、透明のピン抜き治具５０を通して雌型コネクタ２０のピン抜き対象の開口２４を確認しながら、ピン抜き治具５０の押下げ部５２が雌型コネクタ２０の開口２４に位置合わせされる。雌型コネクタ２０の開口２４にピン抜き治具５０の押下げ部５２の先端を差し込むようにして、ピン抜き治具５０が雌型コネクタ２０に載置される。このとき、板部５１の両端部分だけで雌型コネクタ２０に両持ちで支持されるため、雌型コネクタ２０に対してピン抜き治具５０の姿勢が傾くことがなく、雌型コネクタ２０に対して安定した姿勢でピン抜き治具５０を載置することができる。
【００２５】
次に、図６Ｂに示すように、ピン抜き治具５０の板部５１を押し込み、開口２４に進入した押下げ部５２でコネクタピン３０の爪部３６を押し下げる。これにより、コネクタピン３０の爪部３６が倒されて、雌型コネクタ２０内での爪部３６と開口２４の引っ掛りが解除される。このとき、押下げ部５２の先端が爪部３６の先端側だけに接触するように切り欠かれているため、押下げ部５２の先端が爪部３６の基端側に接触することがない。また、板部５１の下面が雌型コネクタ２０のハウジング表面に突き当たることで、押下げ部５２によって爪部３６が過剰に押下げられることがない。
【００２６】
次に、図６Ｃに示すように、押下げ部５２でコネクタピン３０の爪部３６を押し下げた状態のまま、ケーブル３９と共にコネクタピン３０が雌型コネクタ２０の挿入口２２から引き抜かれる。ピン抜き治具５０による爪部３６の押下げ時に爪部３６が傷付けられることがないため、雌型コネクタ２０から引き抜かれた爪部３６が弾性力によって挿入前の状態に起こされる。このため、雌型コネクタ２０に対してコネクタピン３０を再装着することができ、ケーブル３９の差し間違いや接続不良が生じた場合であってもコネクタピン３０を繰返し使用することが可能になっている。
【００２７】
なお、第１の実施の形態では、雌型コネクタから対象のコネクタピンを目視で探す構成にしたが、雌型コネクタには多数の挿入口が形成されているため対象のコネクタピンを探すことが難しい。そこで、雌型コネクタに対してピン番号付きの外付け治具を装着するようにしてもよい。図７を参照して、雌型コネクタに対する外付け治具について説明する。図７は、第１の実施の形態の外付け治具の模式図である。なお、ここでは説明の便宜上、図１の雌型コネクタよりも挿入口が多い雌型コネクタを例示して説明する。また、図７Ａは雌型コネクタを下面から見た状態、図７Ｂは雌型コネクタの上面を上にして後方から見た状態をそれぞれ示している。
【００２８】
図７Ａ及び図７Ｂに示すように、外付け治具５５は雌型コネクタ２０のピン孔（不図示）が形成された前面に装着され、上下両面に雌型コネクタ２０の上下２列の挿入口（不図示）に対応してピン番号が付されている。この場合、外付け治具５５の上面には挿入口の上列に対応した奇数番号（不図示）が付され、外付け治具５５の下面には挿入口の下列に対応した偶数番号が付されている。また、１列に並んだピン番号は複数のグループに分かれており、グループ毎に一定順序でピン番号が繰り返されている。これにより、作業者はグループとピン番号から対象のコネクタピンを特定することが可能になっている。
【００２９】
図７Ａの雌型コネクタ２０の下面側では、一列に並んだピン番号が５グループに分かれており、各グループで図示左側から右側に「２、４、６、８、０」の順番にピン番号が繰り返されている。図７Ｂの雌型コネクタ２０の上面側では、各グループで図示左側から右側に「９、７、５、３、１」の順番にピン番号が繰り返されている。これにより、例えば、雌型コネクタ２０の下面側の２グループのピン番号８にコネクタピンが装着されていることを作業者が容易に認識することができる（図７Ａ参照）。なお、外付け治具５５に対するピン番号の付け方は特に限定されるものではなく、例えば、上面に偶数番号が付されて下面に奇数番号が付されていてもよいし、ピン番号がグループ化されていなくてもよい。また、ピン番号が数値ではなく、アルファベット等の他の記号によって付されていてもよい。
【００３０】
また、外付け治具５５には、雌型コネクタ２０の凸部２５に対応した凹部５６Ａ−５６Ｃが形成されている。雌型コネクタ２０の凸部２５は、コネクタサイズに応じて形成位置が異なるため、外付け治具５５には各コネクタサイズに対応して３種類の凹部５６Ａ−５６Ｃが形成されている。これにより、コネクタサイズが異なる雌型コネクタ２０で同一の外付け治具５５を兼用することができる。
【００３１】
以上のように、第１の実施の形態のピン抜き治具５０は、雌型コネクタ２０の収容部２３にコネクタピン３０が収容されると、コネクタピン３０の爪部３６が開口２４に引っ掛ってコネクタピン３０が雌型コネクタ２０に固定される。一方で、ピン抜き治具５０の押下げ部５２で開口２４を通じて爪部３６を押し下げることで、爪部３６と開口２４の引っ掛りを無くして雌型コネクタ２０からコネクタピン３０を取り外すことができる。このとき、ピン抜き治具５０の板部５１の下面が雌型コネクタ２０の外面に当たるため、押下げ部５２による爪部３６の押下げ量が規制されて爪部３６が過剰に押下げられることがない。よって、爪部３６を破損させることなく、雌型コネクタ２０からコネクタピン３０を簡単な操作で容易に抜き取ることができる。
【００３２】
続いて、図８を参照して、第２の実施の形態のピン抜き治具について詳細に説明する。第２の実施の形態のピン抜き治具は、複数のコネクタピンの爪部を同時に押下げることができるピン抜き治具である。図８は、第２の実施の形態のピン抜き治具の斜視図である。なお、第１の実施の形態と同一の構成については説明を省略する。
【００３３】
図８に示すように、第２の実施の形態のピン抜き治具６０は、透明材料によって板部６１の下面に複数の押下げ部６２が配設されている。板部６１は雌型コネクタ２０（図１参照）の長手方向に沿う上面視長尺形状に形成されており、雌型コネクタ２０の複数の開口２４に対応した間隔で複数の押下げ部６２が横並びに配置されている。また、板部６１の上面には複数の押下げ部６２に対応して横一列にピン番号が付されている。この場合、板部６１の上面には、雌型コネクタ２０の挿入口２２の上列に対応した偶数番号と下列に対応した奇数番号が上下２列で付されている。
【００３４】
また、ピン抜き治具６０を使用する際には、ピン抜き治具６０の複数の押下げ部６２が雌型コネクタ２０（図１参照）の複数の開口２４に位置付けられて、雌型コネクタ２０に対してピン抜き治具６０の板部６１が押し込まれる。これにより、ピン抜き治具６０の複数の押下げ部６２で、雌型コネクタ２０内に並列された複数のコネクタピン３０（図２参照）の爪部３６が同時に押し下げられて、雌型コネクタ２０内での複数の爪部３６と開口２４の引っ掛りが解除される。この場合、押下げ部６２の先端側は、第１の実施の形態と同様に切り欠かれているため、押下げ部６２が各爪部３６の先端側だけに接触される。また、各押下げ部６２の押下げ量が板部６１の下面で規制されるため、爪部３６が過剰に押し込まれることがない。
【００３５】
このピン抜き治具６０によって複数のコネクタピン３０（図２参照）の爪部３６の適切な箇所を適切な力で同時に押し込むことができるため、爪部３６を破損させることなく雌型コネクタ２０（図１参照）から対象のコネクタピン３０を抜き取ることができる。また、雌型コネクタ２０から全てのケーブル３９を引き抜くような場合には、ピン抜き治具６０によって複数のコネクタピン３０の引っ掛りを解除することができるため、雌型コネクタ２０から複数のコネクタピン３０を同時に抜き取ることも可能である。
【００３６】
以上のように、第２の実施の形態のピン抜き治具６０は、第１の実施の形態のピン抜き治具５０と同様に、爪部３６を破損させることなく、雌型コネクタ２０からコネクタピン３０を簡単な操作で容易に抜き取ることができる。また、板部６１に付されたピン番号から対象のコネクタピン３０を容易に特定することができる。
【００３７】
なお、上記の第１の実施の形態では、ピン抜き治具５０の板部５１が湾曲して形成されたが、この構成に限定されない。ピン抜き治具の板部は平坦に形成されていてもよい。
【００３８】
また、上記の第１、第２の実施の形態では、ピン抜き治具５０、６０が透明材料で形成される構成にしたが、この構成に限定されない。ピン抜き治具が不透明な材料で形成されていてもよい。この場合には、板部の上面の押下げ部に対応する箇所にマークを設けて、マークを参考にしながら押下げ部を雌型コネクタの開口に位置付けるようにしてもよい。
【００３９】
また、上記の第１、第２の実施の形態では、複数の挿入口２２が形成された雌型コネクタ２０を例示して説明したが、この構成に限定されない。雌型コネクタは、コネクタピンを介してケーブルが着脱可能であればよく、例えば単一の挿入口に１本のケーブルが着脱可能な構成でもよい。
【００４０】
また、上記の第１、第２の実施の形態では、ピン抜き治具５０、６０の押下げ部５２、６２の先端側が切り欠かれる構成にしたが、この構成に限定されない。ピン抜き治具の押下げ部の先端側の形状は爪部３６の先端側だけを押下げ可能であることが好ましいが、特に切り欠かれていなくてもよい。
【００４１】
また、上記の第１の実施の形態では、板部５１が上面視長方形状、第２の実施の形態では板部６１が上面視長尺形状に形成されたが、この構成に限定されない。板部は下面に押下げ部が形成された板状に形成されていればよく、特に形状は限定されない。
【００４２】
また、本発明の各実施の形態を説明したが、本発明の他の実施の形態として、上記各実施の形態を全体的又は部分的に組み合わせたものでもよい。
【００４３】
また、本発明の実施の形態は上記の各実施の形態に限定されるものではなく、本発明の技術的思想の趣旨を逸脱しない範囲において様々に変更、置換、変形されてもよい。さらには、技術の進歩又は派生する別技術によって、本発明の技術的思想を別の仕方で実現することができれば、その方法を用いて実施されてもよい。したがって、特許請求の範囲は、本発明の技術的思想の範囲内に含まれ得る全ての実施形態をカバーしている。
【００４４】
また、本実施の形態では、本発明をフラットコネクタ用のピン抜け治具に適用した構成について説明したが、爪部を破損させることなくコネクタピンを抜き取り可能な他のコネクタに適用することも可能である。
【産業上の利用可能性】
【００４５】
以上説明したように、本発明は、フラットコネクタからコネクタピンを破損させることなく、容易に抜き取ることができるという効果を有し、特に、ケーブル同士を接続するフラットコネクタからコネクタピンを抜き取る際に使用するピン抜き治具に有用である。
【符号の説明】
【００４６】
２０  雌型コネクタ（フラットコネクタ）
２２  挿入口
２３  収容部
２４  開口
３０  コネクタピン
３６  爪部
３９  ケーブル
５０、６０  引き抜き治具
５１、６１  板部
５２、６２  押下げ部
【図１】
2018006198.tif 000003
【図２】
2018006198.tif 000004
【図３】
2018006198.tif 000005
【図４】
2018006198.tif 000006
【図５】
2018006198.tif 000007
【図６】
2018006198.tif 000008
【図７】
2018006198.tif 000009
【図８】
2018006198.tif 000010